(57)【要約】【課題】設置作業がより容易に行えるようになる止水装置を提供すること。【解決手段】地上である歩道１に形成されていて平面視でコ字状となっている壁２により上下方向に開口している開口部５が形成され、この開口部５のうち、壁２が設けられていない箇所には、地下施設への出入口６が設けられており、非常時において、出入口６に立設され、この出入口６から地下施設への水の浸入を防止するための止水板１０は、平常時において、壁２のうち、出入口６の左右両側からこの出入口６とは反対側へ延設されている左右の側壁部３の奥側上部３Ｂに配置するようにした。【選択図】図１
2015059379.tif 000002
【特許請求の範囲】
【請求項１】
地上に形成されていて平面視でコ字状となっている壁により上下方向に開口している開口部が形成され、この開口部のうち、前記壁が設けられていない箇所には、地下施設への出入口が設けられており、非常時において、前記出入口又はその近傍に立設され、前記出入口から前記地下施設への水の浸入を防止するための止水板を備えた止水装置において、
前記止水板は、平常時において、前記壁のうち、前記出入口の左右両側からこの出入口とは反対側へ延設されている左右の側壁部の奥側上部に配置されていることを特徴とする止水装置。
【請求項２】
請求項１に記載の止水装置において、前記止水板は、前記平常時において、この止水板の厚さ方向の両面部のうちの一方の面部が前記左右の側壁部の前記奥側上部に載置された横置き状態となっていることを特徴とする止水装置。
【請求項３】
請求項１又は２に記載の止水装置において、前記止水板は、前記左右の側壁部に対して移動自在となっていることを特徴とする止水装置。
【請求項４】
請求項３に記載の止水装置において、前記左右の側壁部には、前記止水板を移動自在に案内するための案内部が前記左右の側壁部の前記延設方向全長又は略全長に渡って設けられていることを特徴とする止水装置。
【請求項５】
請求項４に記載の止水装置において、前記止水板の幅方向の両端部には、この止水板が移動するときに前記案内部で転動する転動部材が配置されていることを特徴とする止水装置。
【請求項６】
請求項１〜５のいずれかに記載の止水装置において、前記止水板の厚さ方向の両面部のうちの少なくとも一方の面部には、前記非常時において、前記出入口又はその近傍に立設された前記止水板と前記左右の側壁部との隙間を塞ぐための水密部材が配置されていることを特徴とする止水装置。
【請求項７】
請求項６に記載の止水装置において、前記水密部材は、立設された状態における前記止水板の前記一方の面部における少なくとも左右の縁部又はその近傍に配置されていることを特徴とする止水装置。
【請求項８】
請求項１〜７のいずれかに記載の止水装置において、前記非常時において、前記止水板が前記出入口又はその近傍に立設された状態を維持するための止水板立設状態維持手段が備えられていることを特徴とする止水装置。
【請求項９】
請求項８に記載の止水装置において、前記止水板立設状態維持手段は、前記左右の側壁部と前記止水板とのうちのいずれか一方に上下方向全長に渡って設けられた凹部と、他方に上下方向全長に渡って設けられていて前記凹部に嵌合可能な凸部と、を含んで構成されていることを特徴とする止水装置。
【請求項１０】
請求項８に記載の止水装置において、前記左右の側壁部には、前記非常時において、前記止水板を前記出入口又はその近傍に立設させることを案内するための止水板立設案内部が設けられており、この止水板立設案内部は、前記止水板立設状態維持手段にもなっていることを特徴とする止水装置。
【請求項１１】
請求項１〜１０のいずれかに記載の止水装置において、前記止水板には、把持部が設けられていることを特徴とする止水装置。
【発明の詳細な説明】
【技術分野】
【０００１】
本発明は、集中豪雨や津波等が発生した非常時において、地上に形成されている地下施設への出入口からこの地下施設への雨水、氾濫した河川の水、海水等の浸入を防止するための止水装置に係り、例えば、地下鉄への出入口、地下駐車場への出入口、ビル等の建物の地階への出入口等に用いることができるものである。
【背景技術】
【０００２】
従来より、地下鉄への出入口には、下記の特許文献１に示されているように、集中豪雨や津波等が発生した非常時において、集中豪雨による雨水、河川水や、津波による海水等が、地下施設である地下鉄の駅構内や線路等へ浸入することを防止するための止水板を備えた止水装置が設置されている。
【０００３】
非常時には止水板が立設される地下鉄への出入口は、一般には、地上に形成されていて平面視でコ字状となっている腰壁により上下方向に開口している開口部のうち、腰壁が設けられていない箇所に設けられものとなっており、開口部の上方には、屋根が設置されている。
【０００４】
ところで、止水装置の止水板を収納する場所としては、地下鉄への出入口付近が望ましいが、この地下鉄への出入口は歩道上に位置しているため、収納場所（言い換えると、保管場所）が確保しづらいのが現状である。
【０００５】
このため、止水装置の止水板を収納する場所として、例えば、地下鉄への出入口から離れた地下鉄の駅構内が考えられるが、止水板の持ち運びに労力と時間が掛かるため、非常時には、迅速な止水作業に取り掛かれないおそれがある。
【０００６】
このような問題を解消するために、例えば、開口部の上方に設置された屋根に止水板を収納するとともに、非常時には、屋根から出入口に渡って設けたガイドレールにより止水板を移動、立設させるという下記の特許文献２や特許文献３に示されているような方式の止水装置が考案されている。
【先行技術文献】
【特許文献】
【０００７】
【特許文献１】特開平７−２４７７６６号公報
【特許文献２】特開２００４−６０４１２号公報
【特許文献３】特開２００７−２３９２０５号公報
【発明の概要】
【発明が解決しようとする課題】
【０００８】
しかし、上記の方式の止水装置では、出入口毎に多彩なデザインを有する屋根の構造に合わせてガイドレールを設計しなければならず、また、既存の出入口に設置する場合には、屋根の構造がこの屋根に収納される止水板の重量に耐えられない場合があり、この場合、屋根の構造の補強工事も必要となり、止水装置の設置作業（施工作業を含む）は容易ではない。
【０００９】
このため、設置作業がより容易に行える止水装置の工夫が求められている。
【００１０】
本発明の目的は、設置作業がより容易に行えるようになる止水装置を提供するところにある。
【課題を解決するための手段】
【００１１】
本発明に係る止水装置は、地上に形成されていて平面視でコ字状となっている壁により上下方向に開口している開口部が形成され、この開口部のうち、前記壁が設けられていない箇所には、地下施設への出入口が設けられており、非常時において、前記出入口又はその近傍に立設され、前記出入口から前記地下施設への水の浸入を防止するための止水板を備えた止水装置において、前記止水板は、平常時において、前記壁のうち、前記出入口の左右両側からこの出入口とは反対側へ延設されている左右の側壁部の奥側上部に配置されていることを特徴とするものである。
【００１２】
本発明では、非常時において、地下施設への出入口又はその近傍に立設され、前記出入口から前記地下施設への水の浸入を防止するための止水板は、平常時において、平面視でコ字状となっている壁のうち、前記出入口の左右両側からこの出入口とは反対側へ延設されている左右の側壁部の奥側上部に配置されているものとなっている。
【００１３】
すなわち、本発明では、止水板は、平常時においては、前述した従来のように、地下施設に収納されるものでもなく、出入口の上方に設置されている屋根に収納されるものでもなく、平面視でコ字状となっている壁のうち、左右の側壁部の奥側上部に配置されるものとなっている。
【００１４】
このため、本発明によると、止水装置の設置作業（施工作業を含む）が、従来と比較してより容易に行えるようになる。
【００１５】
また、本発明によると、平常時に止水板が地下施設に収納される場合と比較して、止水板の収納作業（言い換えると、保管作業）や取り出し作業が簡単になり、これらの作業に掛かる労力と時間を削減することができるようになる。
【００１６】
本発明において、平常時において、止水板が配置される左右の側壁部の奥側上部の「上部」には、側壁部の上面部のほか、この上面部よりも下の部分である側壁部の側面部等が含まれる。
【００１７】
また、本発明において、止水板は、平面視でコ字状となっている壁のうち、左右の側壁部の奥側上部に配置されるが、この止水板は、さらに、平面視でコ字状となっている壁のうち、出入口と対向する壁部である後壁部（言い換えると、背壁部）の上部に渡って（言い換えると、跨って）配置されるようにしてもよく、しなくてもよい。
【００１８】
なお、本発明において、平面視でコ字状となっている壁の高さ寸法は、任意なものでよく、例えば、人間の腰の高さ寸法と同じ又は略同じでもよく、人間の腰の高さ寸法よりも大きくてもよい。
【００１９】
また、本発明において、「コ字状」には、略コ字状が含まれる。
【００２０】
なお、本発明において、「地下施設への出入口」とは、階段で地下へ下る出入口でもよく、スロープで地下へ下る出入口でもよく、エスカレータで地下に下る出入口でもよく、これらが併設されている出入口でもよい。
【００２１】
本発明において、平常時における止水板の配置状態は、任意なものでよく、止水板は、平常時において、この止水板の厚さ方向の両面部（言い換えると、表面部と裏面部）のうちの一方の面部が左右の側壁部の奥側上部に載置された横置き状態としてもよく、この止水板の厚さ方向と直交する方向であってこの止水板の幅方向とも直交する方向である長さ方向である上下方向の両面部（言い換えると、上面部と下面部（言い換えると、底面部））のうちの一方の面部が左右の側壁部の奥側上部に載置された縦置き状態としてもよい。
【００２２】
本発明において、止水板を左右の側壁部に対して移動自在としてもよく、しなくてもよい。
【００２３】
本発明では、非常時には、止水板を出入口又はその近傍に立設させるために、左右の側壁部の奥側上部に配置されているこの止水板を、出入口又はその近傍まで移動させることになるが、止水板を左右の側壁部に対して移動自在とすることにより、この止水板の移動作業が容易となる。
【００２４】
また、非常時に出入口又はその近傍に立設させていた止水板を、元の配置場所（平常時の保管場所）である左右の側壁部の奥側上部まで移動する場合、止水板を左右の側壁部に対して移動自在とすることにより、この止水板の移動作業が容易となる。
【００２５】
このため、止水板は、左右の側壁部に対して移動自在とすることが好ましい。
【００２６】
本発明において、止水板を左右の側壁部に対して移動自在とする場合において、左右の側壁部には、止水板を移動自在に案内するための案内部を設けてもよく、設けなくてもよい。
【００２７】
前者の場合において、案内部は、左右の側壁部の延設方向全長又は略全長に渡って設けてもよく、設けなくてもよい。
【００２８】
なお、この案内部は、左右の側壁部に対して取り付け、取り外し自在な案内部材により形成されるものでもよく、左右の側壁部と一体となって形成されるものでもよい。
【００２９】
なお、この案内部は、止水板の移動方向に勾配なく案内するものであってもよく、止水板の移動方向に勾配を付けて案内するものであってもよい。
【００３０】
本発明において、案内部は、止水板の幅方向の両端部が左右の側壁部に対して転動自在となるものでもよく、摺動自在となるものでもよい。
【００３１】
前者の場合において、止水板の幅方向の両端部には、この止水板が移動するときに案内部で転動する転動部材を配置するようにしてもよい。
【００３２】
ここで、転動部材は、止水板の幅方向の両端部のうち、両側面部（言い換えると、左右の側面部）に配置してもよく、止水板の幅方向の両端部のうち、この止水板の厚さ方向の両面部のうちの一方の面部（言い換えると、表面部と裏面部のうちの一方の面部）に配置してもよい。
【００３３】
上述したように、左右の側壁部に、止水板を移動自在に案内するための案内部を設ける場合において、この案内部の形式、構造等は任意なものでよい。
【００３４】
上述したように、止水板の幅方向の両端部に、この止水板が移動するときに案内部で転動する転動部材を配置するようにした場合における案内部の第１の例として、転動部材が挿入される上向きに開口した溝部を、左右の側壁部の上部にこれらの側壁部の延設方向全長又は略全長に渡って形成したものを挙げることができる。また、案内部の第２の例として、転動部材が挿入される横向き（言い換えると、平面視でコ字状となっている壁により上下方向に開口している開口部側）に開口した溝部を、左右の側壁部の内側面部にこれらの側壁部の延設方向全長又は略全長に渡って形成したものを挙げることができる。さらに、案内部の第３の例として、左右の側壁部の上部の開口部側の部分（言い換えると、内側面部）をこれらの側壁部の延設方向全長又は略全長に渡って切り欠くことにより形成された段部を挙げることができる。
【００３５】
なお、止水板の幅方向の両端部に、この止水板が移動するときに案内部で転動する転動部材を配置しない場合、すなわち、止水板を左右の側壁部に対して摺動自在とした場合における案内部の第１の例は、上述した案内部の第３の例である段部である。また、案内部の第２の例は、左右の側壁部の上面部におけるこの側壁部の厚さ方向の両端部のうちの開口部側とは反対側の端部から立ち上がった立上り部（言い換えると、板状の壁部）を、これらの側壁部の延設方向全長又は略全長に渡って形成したものである。さらに、案内部の第３の例は、左右の側壁部の上面部に配置され、これらの側壁部の延設方向全長又は略全長に渡る長さ寸法（言い換えると、これらの側壁部の長さ寸法と同じ又は略同じ長さ寸法）を有し、開口部側に開口した垂直断面形状がコ字状の枠状部材（言い換えると、チャンネル材）を挙げることができる。
【００３６】
なお、本発明において、止水板を左右の側壁部に対して移動自在とした場合には、平常時において、左右の側壁部の奥側上部に配置された止水板がさらに奥側へ移動し、後壁部から落下することを防止するためのストップ部を、後壁部や、左右の側壁部の後端部（言い換えると、左右の側壁部の延設方向の両端部のうちの後壁部側の端部）に設けてもよく、設けなくてもよい。
【００３７】
本発明において、止水板の厚さ方向の両面部（言い換えると、表面部と裏面部）のうちの少なくとも一方の面部には、非常時において、出入口又はその近傍に立設された止水板と左右の側壁部との隙間を塞ぐための水密部材を配置してもよく、しなくてもよい。
【００３８】
なお、「止水板の厚さ方向の両面部のうちの少なくとも一方の面部」とあるので、水密部材は、止水板の厚さ方向の両面部に配置するようにしてもよい。
【００３９】
本発明において、水密部材は、立設された状態における止水板の前記一方の面部における少なくとも左右の縁部（言い換えると、幅方向である左右方向の両縁部）又はその近傍に配置することが好ましい。すなわち、水密部材は、立設された状態における止水板の前記一方の面部における少なくとも左右の側壁部と対向（対面）する部分に配置することが好ましい。
【００４０】
なお、出入口から地下施設への階段うちの最上段部の高さ位置が地上の高さ位置よりも高いものとなっている場合において、立設された状態における止水板の下の縁部（言い換えると、長さ方向である上下方向の両縁部のうちの下縁部）が、階段の最上段部と対向する場合には、この止水板の下の縁部にも水密部材を配置するようにしてもよい。
【００４１】
また、水密部材は、立設された状態における止水板の長さ方向である上下方向の両端部のうちの下端部の端面（言い換えると、下面部（言い換えると、底面部））にも配置してもよい。すなわち、水密部材は、立設された状態における止水板のうちの地上と対向する部分である底面部にも配置してもよい。
【００４２】
本発明において、非常時において、止水板が出入口又はその近傍に立設された状態を維持できないおそれがある場合には、非常時において、止水板が出入口又はその近傍に立設された状態を維持するための止水板立設状態維持手段を備えることが好ましい。
【００４３】
止水板立設状態維持手段の形式、構造等は、止水板が出入口又はその近傍に立設された状態を維持できるものであれば、任意なものでよい。
【００４４】
止水板立設状態維持手段の第１の例として、左右の側壁部と止水板とのうちのいずれか一方に上下方向全長に渡って設けられた凹部と、他方に上下方向全長に渡って設けられていて前記凹部に嵌合可能な凸部と、を含んで構成されたものを挙げることができる。なお、この第１の例において、止水板とは、この止水板に配置される水密部材が含まれる。すなわち、止水板に水密部材を配置した場合には、左右の側壁部に設けた凹部又は凸部に嵌合可能な凸部又は凹部を水密部材に設けてもよいという意味である。
【００４５】
また、止水板立設状態維持手段の第２の例として、左右の側壁部の前面部に配置した金属等の磁性体で形成された磁性部材と、立設された状態における止水板のうちの左右の側壁部と対向する部分（言い換えると、幅方向の両端部である左右の縁部）の内部に配置した磁石と、を含んで構成されたものを挙げることができる。なお、前述したように、止水板に水密部材を配置する場合には、この水密部材の内部に磁石を配置してもよい。なお、この第２の例では、左右の側壁部の前面部を磁性体で形成するようにしてもよい。
【００４６】
さらに、止水板立設状態維持手段の第３の例として、左右の側壁部と止水板とのうちのいずれか一方に設けられた紐状部材と、他方に設けられていて前記紐状部材が連結可能な連結部と、を含んで構成されたものを挙げることができる。
【００４７】
また、止水板立設状態維持手段の第４の例は、止水板と左右の側壁部とを留める金具（言い換えると、固定手段）である。この具体例として、出入口に立設された状態における止水板の両側面部のうちの一方の側面部と、この側面部側に配置されている側壁部の外側面部のうちの一方に取り付けられ、軸を中心に回動自在となっているハンドル部材と、このハンドル部材の幅方向の両端部における前記軸よりも後方の部分で後端部が係止され、この後端部を中心に回動自在となっている平面視リング状の掛け金具と、前記止水板の前記両側面部のうちの前記一方の側面部と、この側面部側に配置されている前記側壁部の前記外側面部のうちの他方に取り付けられ、前記ハンドル部材を前記他方の側に回動させるとともに、前記ハンドル部材の前記掛け金具を前記他方の側へ回動させることにより、この掛け金具の先端部が係止可能な溝部を有する受け金具と、を含んで構成されるもの（例えば、特開２０００−３５２２５５号公報で開示されている一方の部材を他方の部材にトグル作用を用いて締め付ける機構のようなもの）を挙げることができる。
【００４８】
この例では、前記受け金具の前記溝部に前記ハンドル部材の前記掛け金具を係止させた後、前記ハンドル部材を前記一方の側へ回動させることにより、前記止水板の立設状態が維持されること（前記止水板が前記側壁部に固定された状態（施錠状態））になる。一方、前記止水板の立設状態が維持された状態で、前記ハンドル部材を前記他方の側へ回動させることにより、前記受け金具の前記溝部に係止していた前記ハンドル部材の前記掛け金具を取り外すことが可能となり、これにより、前記止水板の立設状態が維持された状態を解除させること（前記止水板が前記側壁部に固定された状態を解放すること（開錠状態にすること））ができる。
【００４９】
なお、この例における止水板立設状態維持手段は、前記止水板の幅方向の両側面部及び左右の前記側壁部の前記外側面部に少なくとも１個（すなわち、左右に１個ずつ）、好ましくは左右の上下方向に２個設ける。
【００５０】
さらに、止水板立設状態維持手段の第５の例は、止水板と左右の側壁部とを圧接するための金具（言い換えると、圧接手段）である。この具体例として、出入口に立設された状態における止水板の幅方向の両端部であって、この止水板の厚さ方向の両面部のうちの出入口の外側に配置される面部には、第１ハンドル部材が配置され、出入口の内側に配置される面部には、第２ハンドル部材が配置され、これらのハンドル部材は、止水板の厚さ方向を貫通する軸の両端部に結合されていて、この軸を中心に止水板に対して回動自在となっており、前記第２ハンドル部材の回動中心部には、回動中心軸の直径方向に突出し、先端部には軸を中心に回転自在な回転部材を有する突出部が設けられており、側壁部の内側面部には、この側壁部側へ回動させた前記第２ハンドル部材の前記突出部の前記回転部材が挿入可能となっていて、上方あるいは下方に向かって先細りとなっているテーパー状の凹部を有する受け金具が埋設されているもの（例えば、特開２００７−５６６０２号公報で開示されている一方の部材に配置されたハンドル部材を回動させることによりこのハンドル部材に設けられた回転部材が他方の部材に配置された受け金具に圧接することを利用した施錠機構のようなもの）を挙げることができる。
【００５１】
この例では、前記止水板を立設させた後、前記第２ハンドル部材を前記側壁部側へ回動させることにより、前記第２ハンドル部材の前記突出部の前記回転部材が前記受け金具の内側面部に圧接するとともに、前記受け金具の上面部に当接することにより、止水板の立設状態が維持されること（前記止水板と前記側壁部とが圧接された状態（施錠状態））になる。一方、前記止水板の立設状態が維持された状態で、前記ハンドル部材を前記側壁部側とは反対側へ回動させることにより、前記止水板の立設状態が維持された状態を解除させること（前記止水板と前記側壁部とが圧接された状態を解放すること（開錠状態とすること））ができる。なお、この例において、前記第２ハンドル部材の前記突出部の前記先端部には前記回転部材を設けないで、前記第２ハンドル部材の前記突出部の前記先端部が前記受け金具の凹部に挿入されるものであってもよい。
【００５２】
なお、この例における止水板立設状態維持手段は、前記止水板の幅方向の両端部及び左右の前記側壁部の前記内側面部に少なくとも１個（すなわち、左右に１個ずつ）、好ましくは左右の上下方向に２個設ける。
【００５３】
なお、本発明において、止水板立設状態維持手段を備えずに、非常時において、止水板が出入口又はその近傍に立設された状態を維持するためには、例えば、止水板を、立設させたときに左右の側壁部側（出入口側）へ傾斜した姿勢、すなわち、前傾姿勢となる形状、構造を有するものとしてもよい。なお、この場合において、止水板に水密部材を配置する場合には、この水密部材を、止水板を立設したときに左右の側壁部の前面部と密着するような形状、構造を有するものとすることが好ましい。
【００５４】
本発明において、左右の側壁部に、非常時において、止水板を出入口又はその近傍に立設させることを案内するための止水板立設案内部を設けるようにしてもよい。
【００５５】
止水板立設案内部の形式、構造等は、任意なものでよく、この止水板立設案内部は、左右の側壁部と一体となっているものでもよく、別体となっているものでもよい。
【００５６】
前者の場合の一例として、左右の側壁部のうちの出入口側の端部又はその近傍（言い換えると、前面部の近傍）における開口部側の部分（言い換えると、内側面部）を上下方向に切り欠くことにより形成され、止水板がスライド自在に挿入される窪み部を挙げることができる。この例では、窪み部を止水板立設状態維持手段とすることもできる。すなわち、この例では、窪み部は、止水板立設案内部と止水板立設状態維持手段を兼ねたものとなる。
【００５７】
後者の場合の一例として、左右の側壁部の前面部に配置され、開口部側に開口した平面視で（言い換えると、水平断面形状が）コ字状の枠状部材（言い換えると、チャンネル材）を挙げることができる。この例でも、枠状部材を止水板立設状態維持手段とすることもできる。
【００５８】
なお、前述した止水板立設状態維持手段の第１の例の構成部分となっている左右の側壁部と止水板とのうちのいずれか一方に上下方向全長に渡って設けられた凹部は、止水板立設案内部とすることもできる。
【００５９】
なお、前述した止水板立設状態維持手段の第４及び第５の例では、止水板立設案内部は不要となる。
【００６０】
以上の本発明において、止水板には、把持部を設けてもよく、設けなくてもよい。
【００６１】
前者の場合によると、平常時に、止水板を左右の側壁部の奥側上部まで移動させる作業や、非常時に、左右の側壁部の奥側上部に配置されていた止水板を出入口又はその近傍まで移動させる作業を、後者の場合と比較して容易に行うことができる。
【００６２】
把持部の形式、構造等は任意なものでよく、例えば、逆Ｕ字状のものでもよく、逆Ｌ字状のものでもよく、円柱や角柱等の棒状のもの等でもよい。なお、把持部には、止水板の表面に形成した窪み部が含まれる。
【００６３】
把持部を止水板に設ける場所は、止水板のうち、平常時において止水板を左右の側壁部の奥側上部まで移動させる際や、非常時おいて左右の側壁部の奥側上部に配置されていた止水板を出入口又はその近傍まで移動させる際に、壁や地面と干渉しない場所であれば任意である。例えば、平常時において、止水板が左右の側壁部の奥側上部に横置き状態で載置されるものである場合には、把持部は、横置き状態で載置された止水板の幅方向の両端部の上面部や、横置き状態で載置された止水板の長さ方向の両端部のうちの一方の端部である出入口側の端部の端面に設けるようにしてもよい。
【００６４】
なお、止水板に設ける把持部の個数は、任意である。
【００６５】
本発明において、止水板の移動は、人力による手動で行われるものでもよく、駆動装置の駆動力や自重利用の駆動力により自動で行われるものでもよい。
【００６６】
本発明は、集中豪雨や津波等が発生した非常時において、地上に形成されている地下施設への出入口からこの地下施設への雨水、氾濫した河川の水、海水等の浸入を防止するための止水装置に適用することができ、例えば、地下鉄への出入口、地下駐車場への出入口、ビル等の建物の地階への出入口等に設置される止水装置に適用することができる。
【発明の効果】
【００６７】
本発明によると、止水装置の設置作業をより容易に行えるようになるという効果を得られる。
【図面の簡単な説明】
【００６８】
【図１】図１は、地下鉄の出入口に設置された本発明の第１の実施形態に係る止水装置の全体を示す斜視図であって、止水板が左右の側壁部の奥側上部に配置されているときを示す図である。
【図２】図２は、図１で示されている一般道路、ガイドレール、屋根及び柱を除外して示した斜視図であって、止水板を出入口近傍まで移動させたときを示す図である。
【図３】図３は、止水板を出入口に立設するときを示す図２と同様の図である。
【図４】図４は、止水板が出入口に立設されたときを示す図２と同様の図である。
【図５】図５は、図１のＳ５矢視図であって、出入口の正面図である。
【図６】図６は、図２のＳ６−Ｓ６線断面図である。
【図７】図７は、図１〜図６で示されている止水板の斜視図であって、水密部材が配置されている側の面を示す図である。
【図８】図８は、図４の平面図であって、止水板が立設された出入口を上から見た図である。
【図９】図９は、図８のＳ９−Ｓ９線断面図である。
【図１０】図１０は、第２の実施形態に係る止水装置の全体を示す図２と同様の図である。
【図１１】図１１は、図１０のＳ１１−Ｓ１１線断面図である。
【図１２】図１２は、図１０及び図１１で示されている止水板の斜視図であって、水密部材が配置されている側の面を示す図である。
【図１３】図１３は、図１２で示されている止水板が立設されたときの出入口の平面図である。
【図１４】図１４は、第３の実施形態に係る止水装置の全体を示す図２と同様の図である。
【図１５】図１５は、図１４のＳ１５−Ｓ１５線断面図である。
【図１６】図１６は、図１４及び図１５で示されている止水板を示す図１２と同様の図である。
【図１７】図１７は、図１６で示されている止水板が立設されたときの出入口の平面図である。
【図１８】図１８は、第４の実施形態に係る止水装置の全体を示す図２と同様の図である。
【図１９】図１９は、図１８のＳ１９−Ｓ１９線断面図である。
【図２０】図２０は、図１８及び図１９で示されている止水板を示す図１２と同様の図である。
【図２１】図２１は、図２０で示されている止水板が立設されたときの出入口の平面図である。
【図２２】図２２は、第５の実施形態に係る止水装置の平面図であって、止水板と、この止水板を立設する前の出入口を上から見た図である。
【図２３】図２３は、図２２において、出入口に止水板が立設されたときを示す図である。
【図２４】図２４は、第６の実施形態に係る止水装置の平面図であって、止水板が立設された出入口を上から見た図２３と同様の図である。
【図２５】図２５は、第７の実施形態に係る止水装置を示す図９と同様の図である。
【図２６】図２６は、図２５で示されている止水板の下部の部分拡大図である。
【図２７】図２７は、第８の実施形態に係る止水装置を示す図であって、止水板を上から見た図と、この止水板を立設する前の出入口の水平断面図を示す図である。
【図２８】図２８は、図２７で示されている止水板が立設された出入口を上から見た図２３と同様の図である。
【発明を実施するための形態】
【００６９】
以下に本発明を実施するための形態を図面に基づいて説明する。本実施形態に係る止水装置は、地下施設である地下鉄への出入口に設置されるものであり、図１には、この止水装置の全体を示す斜視図が示されている。
【００７０】
図１に示されているように、地上の一般道路１７とガードレール１８で仕切られている歩道１には、平面視でコ字状となっている壁２が形成されており、この壁２により上下方向に開口している開口部５が形成されている。そして、この開口部５のうち、壁２が設けられていない箇所に、地下鉄への出入口６が設けられている。また、開口部５及び出入口６の上方には、歩道１に立設された４本の柱９で支持された屋根８が設置されている。
【００７１】
具体的な構造を後述する本実施形態に係る止水装置は、非常時において、出入口６に立設され、この出入口６から地下鉄への水の浸入を防止するための止水板１０を備えており、図１は、平常時における止水装置を示す図、すなわち、この止水装置に備えられている止水板１０が収納状態（保管状態）となっている平常時を示す図である。
【００７２】
図２は、図１で示されている一般道路１７、ガードレール１８、屋根８及び柱９を除外して示した斜視図である。また、この図２は、収納状態となっていた止水板１０を出入口６近傍まで移動させたときを示す図である。
【００７３】
図２に示されているように、開口部５を形成する平面視でコ字状となっている壁（言い換えると、腰壁）２は、出入口６の左右両側からこの出入口６とは反対側へ延設されている左右の側壁部３と、これらの側壁部３の後端部（言い換えると、長さ方向の両端部のうちの出入口６とは反対側の端部）同士を結合する後壁部（言い換えると、背壁部）４とで構成されている。
【００７４】
図３は、出入口６近傍まで移動させた止水板１０を出入口６に立設するときを示す図であり、図４は、止水板１０が出入口６に立設されたときを示す図２と同様の図である。また、図５は、図１のＳ５矢視図であって、出入口６の正面図であり、図６は、図２のＳ６−Ｓ６線断面図である。さらに、図７は、図１〜図６で示されている止水板１０の斜視図であって、止水板１０の厚さ方向の両面部のうちの水密部材１４が配置されている側の面部（図１〜図４で示されている表面部１０Ａとは反対側の面である裏面部）１０Ｂを示す図である。
【００７５】
図７に示されているように、防水性を有する硬質材料で形成された方形状の板材である止水板１０の幅寸法（図２や図７で示されている幅方向（左右方向）であるＸ方向の寸法）は、左右の側壁部３の内側面部同士の間の寸法よりも大きく、左右の側壁部３の外側面部同士の間の寸法よりも小さくなっている。一方、止水板１０の長さ寸法（図２や図７で示されている長さ方向（上下方向）であるＹ方向の寸法）は、左右の側壁部３の高さ寸法よりも大きくなっている。
【００７６】
また、図３、図５〜図７から分かるように、止水板１０の幅方向の両側面部１０Ｇ，１０Ｈにおけるこの止水板１０の長さ方向の両端部（上端部と下端部）近傍には、ローラ１１が配置されており、これら４個のローラ１１は、止水板１０の両側面部１０Ｇ，１０Ｈに結合された図５及び図６に示されている軸１２を中心に回転自在となっている。
【００７７】
また、図７に示されているように、止水板１０の厚さ方向の両面部１０Ａ，１０Ｂのうちの一方の面部である裏面部１０Ｂであって、この止水板１０の幅方向である左右方向の両縁部である左縁部１０Ｃと右縁部１０Ｄ（図３で示されている表面部１０Ａから見た場合、右縁部１０Ｃと左縁部１０Ｄ）と、長さ方向である上下方向の両縁部１０Ｅ，１０Ｆのうちの一方の縁部である下縁部１０Ｆには、水密部材１４が配置されている。弾性を有する軟質材料で形成されているこの水密部材１４は、止水板１０の裏面部１０Ｂにおける下縁部１０Ｆに配置されるベース部１４Ａと、このベース部１４Ａの幅方向の両端部から上端部手前まで上向き（垂直方向）に延びる左右の延出部１４Ｂとで構成され、平面視でコ字状となっている。
【００７８】
また、図３及び図４に示されているように、立設姿勢の状態における止水板１０の表面部１０Ａの上縁部１０Ｅにおけるこの止水板１０の幅方向の両端部近傍には、止水板１０を移動させるときにこの止水板１０を把持するためのＵ字状（言い換えると、門型）の把持部１３が取り付けられている。
【００７９】
図１〜図６や、図４の平面図であって止水板１０が立設された出入口６を上から見た図である図８に示されているように、左右の側壁部３の上面部３Ａには、これらの側壁部３の長さ寸法と同じ又は略同じ長さ寸法を有し、後端部１５Ｂを除いて垂直断面形状が略Ｃ字状となっている枠状部材１５が載置、固定されている。
図１及び図２から分かるように、左右の枠状部材１５の内側面部１５Ｅにおける前端部１５Ａから後端部１５Ｂの手前まではスリット１５Ｃが形成されており、このスリット１５Ｃは、止水板１０の軸１２が挿通可能な幅寸法（上下寸法）を有している。また、左右の枠状部材１５の内部１５Ｄは、図５及び図６に示すように、止水板１０のローラ１１が転動可能なスペースを有している。
【００８０】
このため、本実施形態では、止水板１０は、この止水板１０に配置されている４個のローラ１１によって左右の側壁部３に対して転動自在（移動自在）となっており、これら４個のローラ１１は、止水板１０が移動するときに枠状部材１５の内部１５Ｄで転動する転動部材となっている。
【００８１】
そして、枠状部材１５は、左右の側壁部３の延設方向（図１に示す矢印Ｂ方向）全長に渡って設けられていて止水板１０を移動自在に案内するための案内部を形成するものとなっている。
【００８２】
また、図１〜図６に示されているように、左右の側壁部３の前面部３Ｃの前の歩道１には、水平断面形状がコ字状となっていて枠状部材（チャンネル材）１６が立設されている。互いに出入口６の幅方向内側に開口している左右の枠状部材１６は、左右の側壁部３の高さ寸法と同じ又は略同じ長さ寸法を有し、止水板１０のローラ１１が収納可能な開口幅寸法を有している。
【００８３】
左右の枠状部材１６は、図８に示すように、左右の側壁部３の延設方向に延びるベース部１６Ｂと、このベース部１６Ｂの幅方向の両端部の一方の端部から左右の側壁部３の厚さ方向に延びていて、左右の側壁部３の前面部３Ｃに固定される延出部１６Ｃと、ベース部１６Ｂの幅方向の両端部の他方の端部から左右の側壁部３の厚さ方向に延びる延出部１６Ｄとからなっている。
【００８４】
図３に示されているように、非常時には、左右の枠状部材１６の内部１６Ａに、縦向き状態で持ち上げた止水板１０を下側の左右２個のローラ１１を挿入するとともに、これらのローラ１１を左右の枠状部材１６の内部１６Ａで転動させながら立設させることになる。底面部１０Ｊが歩道１に着地した止水板１０から手を離すことにより、止水板１０は、ローラ１１が左右の枠状部材１６で支持されて立設状態が維持されることなる。すなわち、図８に示されているように、枠状部材１６の内部１６Ａに挿入された止水板１０の下側の左右のローラ１１が延出部１６Ｄの内側面部に圧接することにより、止水板１０が出入口６に立設された状態が維持される。
【００８５】
このため、本実施形態では、枠状部材１６は、非常時において、止水板１０を出入口６に立設させることを案内するための止水板立設案内部となっているとともに、止水板１０が出入口６に立設された状態を維持するための止水板立設状態維持手段にもなっている。
【００８６】
止水板１０の収納作業は、まず、止水板１０を、把持部１３が取り付けられている表面部１０Ａを上にした横向きの状態にするとともに、止水板１０の長さ方向（上下方向）の両側面部のうちの一方の側面部である図３や図７で示されている上面部１０Ｉが枠状部材１５と対向した状態で、枠状部材１５の高さ位置まで持ち上げる作業を、好ましくは少なくとも２人の作業者により行う。すなわち、止水板１０のローラ１１の軸１２の高さ位置が、枠状部材１５のスリット１５Ｃの高さ位置と同じ又は略同じとなるまで、止水板１０を持ち上げる作業を行う。
【００８７】
この後、左右の枠状部材１５のスリット１５Ｃに、持ち上げた止水板１０の左右のローラ１１の軸１２を挿入するとともに、左右の枠状部材１５の内部１５Ｄに、持ち上げた止水板１０を左右のローラ１１を挿入し、止水板１０を図１に示されている矢印Ａ方向とは反対の方向、すなわち、出入口６とは反対側の方向に、左右のローラ１１を左右の枠状部材１５の内部１５Ｄで転動させながら移動させていく作業を行う。このとき、止水板１０の把持部１３に持ってこの止水板１０を移動させるとよい。この移動作業は、奥側の左右のローラ１１の軸１２が、枠状部材１５の図３や図４に示す後端部１５Ｂに当接するまで行う。
【００８８】
このように、枠状部材１５の内側面部１５Ｅうちのスリット１５Ｃが形成されていない後端部１５Ｂは、左右の側壁部３の奥側まで移動した止水板１０が、さらに移動して後壁部４から落下することを阻止するためのストップ部となっている。
【００８９】
以上のように、止水板１０は、平常時において、壁２のうち、出入口６の左右両側からこの出入口６とは反対側へ延設されている左右の側壁部３の奥側上部３Ｂに配置（保管）されることになる。そして、この止水板１０は、平常時において、この止水板１０の厚さ方向の両面部１０Ａ，１０Ｂのうちの一方の面部である表面部（止水板１０が出入口６に立設されたときにおける出入口６側とは反対側の面部）１０Ａが、左右の側壁部３の奥側上部３Ｂに載置された横置き状態となって配置されることになる。
【００９０】
次に、非常時において、左右の側壁部３の奥側上部３Ｂに配置されていた止水板１０を出入口６に立設させる作業について説明する。
【００９１】
まず、１人の作業者あるいは好ましくは複数の作業者により、止水板１０を図１に示されている矢印Ａ方向、すなわち、出入口６の方向に、左右のローラ１１を左右の枠状部材１５の内部１５Ｄで転動させながら移動させていく作業を行う。このとき、止水板１０の把持部１３に持ってこの止水板１０を移動させるとよい。
【００９２】
図２に示すように、移動させている止水板１０の半分以上が出入口６の位置を通過したら、好ましくは複数の作業者で止水板１０を支持しながら、止水板１０を枠状部材１５から離脱させるとともに、この止水板１０を矢印Ｃ方向に動かして底面部１０Ｊが歩道１に着地した縦置き状態にする作業を行う。
【００９３】
この後、止水板１０の把持部１３を握りながら、縦向きにしたこの止水板１０を図３に示すように枠状部材１６の真上まで持ち上げる作業を行う。
【００９４】
そして、止水板１０をゆっくり下ろしながら、この止水板１０の下側の左右のローラ１１を枠状部材１６の内部１５Ｄに挿入する作業を、図４に示されているように、止水板１０の底面部１０Ｊが歩道１に着地するまで行う。この結果、図８に示されているように、下側の左右のローラ１１の外周面が枠状部材１６の内周面に当接して、止水板１０は出入口６に立設された状態となる。
【００９５】
図８は、前述したように、図４の平面図であって止水板１０が立設された出入口６を上から見た図であり、図９は、図８のＳ９−Ｓ９線断面図である。
【００９６】
これらの図８及び図９から分かるように、出入口６に立設された止水板１０の裏面部１０Ｂに配置されている水密部材１４のベース部１４Ａが階段７の最上段部７Ａの前面部７Ｂに密着するとともに、水密部材１４の左右の延出部１４Ｂが左右の側壁部３の前面部３Ｃに密着することになる。これにより、出入口６から地下鉄へ水が浸入することが防止されることになる。
【００９７】
以上説明したように、本実施形態では、止水板１０は、平常時においては、従来のように、地下施設である地下鉄の駅構内等に収納されるものでもなく、出入口６の上方に設置されている屋根８に収納されるものでもなく、平面視でコ字状となっている壁２のうち、左右の側壁部３の奥側上部３Ｂに配置されるものとなっている。
【００９８】
このため、本実施形態によると、止水装置の設置作業（施工作業を含む）が、従来と比較してより容易に行えるようになる。
【００９９】
また、本実施形態によると、平常時に止水板１０が地下鉄の駅構内等に収納される場合と比較して、止水板１０の収納作業（言い換えると、保管作業）や立設作業が簡単になり、これらの作業に掛かる労力と時間を削減することができるようになる。
【０１００】
なお、止水板の立設作業及び収納作業の手順、方法は、以上説明したものに限定されるものではない。
【０１０１】
図１０〜図１３は、以上説明した図１〜図９で示された実施形態（以下、第１の実施形態という）に係る止水装置の別実施形態である第２の実施形態を示す図であり、図１０は、本実施形態に係る止水装置の全体を示す図２と同様の図であり、図１１は、図１０のＳ１１−Ｓ１１線断面図であり、図１２は、図１０及び図１１で示されている本実施形態に係る止水板１１０の斜視図であって、この止水板１１０の厚さ方向の両面部のうちの、水密部材１４が配置されている側の面である裏面部１１０Ｂを示す図である。また、図１３は、止水板１１０が立設された出入口６の平面図（上から見た図）である。なお、以下で説明する各実施形態において、第１の実施形態で使用される部材と同じ部材については、第１の実施形態で使用される部材と同じ符号を付し、その説明については省略する。また、以下で説明する各実施形態において、止水板は、第１の実施形態と同様に、平常時において、左右の側壁部３の奥側上部３Ｂに横置き状態で配置される。
【０１０２】
図１０〜図１２から分かるように、本実施形態に係る止水板１１０は、第１の実施形態に係る止水板１０の左右のローラ１１のような転動部材を有していない。このため、止水板１１０は左右の側壁部３に対して転動自在となっておらず、左右の側壁部３に対して移動自在（より具体的には左右の側壁部３の上面部３Ａに対して摺動自在）となっている。
【０１０３】
図１０及び図１１に示されているように、左右の側壁部３の上面部３Ａにおける開口部５側の部分は、切り欠かれた段部３Ｄとなっており、これら左右の段部３Ｄの形成箇所は、左右の側壁部３の前面部３Ｃから後壁部４の手前までとなっている。
【０１０４】
図１１から分かるように、止水板１１０の幅方向の寸法は、第１の実施形態のような転動部材を有していないため、第１の実施形態の止水板１０の幅方向の寸法（図５及び図６参照）よりも大きい。すなわち、止水板１１０は、この止水板１１０の幅方向の両端部１１０Ｃ，１１０Ｃが左右の側壁部３の上面部３Ａに載置可能な幅寸法を有している。
【０１０５】
左右の側壁部３の上面部３Ａには、垂直断面形状が略Ｌ字状の枠状部材１１５がそれぞれ配置されている。それぞれの枠状部材１１５は、左右の側壁部３の上面部３Ａに載置、固定されるベース部１１５Ａと、このベース部１１５Ａにおける幅方向の両端部のうちの開口部５側とは反対側の端部から立ち上がる立上り部１１５Ｂとからなっており、図１１で示されているように、止水板１１０の幅方向の両端部１１０Ｃ，１１０Ｄが、左右の枠状部材１１５のベース部１１５Ａの上面を移動（摺動）するようになっている。なお、図１１で示されているように、左右の側壁部３の上面部３Ａの枠状部材１１５のベース部１１５Ａと、段部３Ｄとの段差は、止水板１１０の裏面部１１０Ｂに配置されている水密部材１４の左右の延出部１４Ｂが接触しない寸法となっている。
【０１０６】
本実施形態では、左右の枠状部材１１５は、左右の側壁部３の延設方向（図１に示す矢印Ｂ方向）全長に渡って設けられていて止水板１１０を移動（摺動）自在に案内するための案内部を形成するものとなっている。
【０１０７】
また、本実施形態では、止水板１１０の左右の側壁部３の前面部３Ｃから出入口６とは反対側である奥側への移動は、この止水板１１０に裏面部１１０Ｂに配置された水密部材１４の左右の延出部１４Ｂの先端部１４Ｅ（図１２参照）が後壁部４に当接することで停止する。
【０１０８】
このように、壁２を形成する後壁部４１５は、左右の側壁部３の奥側まで移動した止水板１１０が、さらに移動して後壁部４から落下することを阻止するためのストップ部となっている。
【０１０９】
図１０及び図１３に示されているように、本実施形態では、左右の側壁部３の前面部３Ｃに立設されている左右の枠状部材１１６は、第１の実施形態の左右の枠状部材１６と同様に、非常時において、止水板１１０を出入口６に立設させることを案内するための止水板立設案内部となっているとともに、止水板１１０が出入口６に立設された状態を維持するための止水板立設状態維持手段にもなっている。
【０１１０】
左右の枠状部材１１６は、図１３に示すように、左右の側壁部３の延設方向に延びるベース部１１６Ｂと、このベース部１１６Ｂの幅方向の両端部の一方の端部から左右の側壁部３の厚さ方向に延びていて、左右の側壁部３の前面部３Ｃに固定される延出部１１６Ｃと、ベース部１１６Ｂの幅方向の両端部の他方の端部から左右の側壁部３の厚さ方向に延びる延出部１１６Ｄとからなっており、枠状部材１１６の内部１１６Ａに挿入された止水板１１０の幅方向の両端部１１０Ｃ，１１０Ｄのうちの表面部１１０Ａ側の部分が、延出部１１６Ｄの内側面部に圧接することにより、止水板１１０が出入口６に立設された状態が維持される。
【０１１１】
なお、本実施形態において、止水板１１０の裏面部１１０Ｂにおける幅方向の両端部１１０Ｃ，１１０Ｄに転動部材であるローラを配置し、止水板１１０を左右の側壁部３に対して転動自在となるようにしてもよい。
【０１１２】
なお、本実施形態における止水板１１０を出入口６に立設する作業は、前述した第１の実施形態と同様に、図１０に示すように、左右の側壁部３の奥側上部３Ｂから移動させている止水板１１０の半分以上が出入口６の位置を通過したら、好ましくは複数の作業者で止水板１１０を支持しながら、止水板１１０を枠状部材１１５から離脱させるとともに、この止水板１１０を矢印Ｃ方向に動かして底面部１１０Ｊが歩道１に着地した縦置き状態にする作業を行い、この後、止水板１１０を持ち上げて枠状部材１１６の内部１１６Ａに挿入する作業を行う。
【０１１３】
図１４〜図１７は、前述した第１の実施形態のさらなる別実施形態である第３の実施形態に係る止水装置を示す図であり、図１４は、本実施形態に係る止水装置の全体を示す図２と同様の図であり、図１５は、図１４のＳ１５−Ｓ１５線断面図であり、図１６は、図１４及び図１５で示されている本実施形態に係る止水板２１０の斜視図であって、この止水板２１０の厚さ方向の両面部のうちの、水密部材１４が配置されている側の面である裏面部２１０Ｂを示す図である。また、図１７は、止水板２１０が立設された出入口６の平面図（上から見た図）である。
【０１１４】
本実施形態に係る止水板２１０は、第１の実施形態に係る止水板１０のうち、ローラ１１と軸１２を除外したものとなっている。すなわち、止水板２１０が止水板１０と異なる点は、ローラ１１と軸１２を有していない点のみであり、止水板２１０は、止水板１０の本体と同じ又は略同じ形状、寸法を有している。
【０１１５】
図１４及び図１５に示されているように、左右の側壁部３の上面部３Ａにおける開口部５側の部分は、図１０及び図１１で示されている第２の実施形態の段部３Ｄと同様に、段部３Ｅとなっており、これら左右の段部３Ｅの形成箇所も、左右の側壁部３の前面部３Ｃから後壁部４の手前までとなっている。
【０１１６】
図１５に示されているように、左右の側壁部３の上面部３Ａと左右の段部３Ｅとの段差は、止水板２１０の厚さ寸法と水密部材１４の厚さ寸法を合計したものと同じ又は略同じ寸法となっており、止水板２１０が左右の側壁部３に載置されているときには、左右の側壁部３の上面部３Ａと、止水板２１０の表面部１０Ａとは、面一又は略面一状態となっている。
【０１１７】
本実施形態では、止水板２１０の裏面部２１０Ｂに配置されている水密部材１４の左右の延出部１４Ｂが、左右の側壁部３の段部３Ｅを移動（摺動）するようになっている。
【０１１８】
そして、本実施形態では、左右の側壁部３の段部３Ｅが、左右の側壁部３の延設方向略全長に渡って設けられていて止水板２１０を移動自在に案内するための案内部を形成するものとなっている。
【０１１９】
左右の側壁部３の段部３Ｅの出入口６側の端部である前端部から挿入された止水板２１０の出入口６とは反対側である奥側への移動は、止水板２１０の長さ方向の両側面部２１０Ｉ，２１０Ｊのうちの一方の側面部である上側面部（言い換えると、上面部）２１０Ｉ（図１６参照）と、この止水板２１０の裏面部２１０Ｂに配置された水密部材１４の左右の延出部１４Ｂの先端部１４Ｅ（図１６参照）の端面と、が後壁部４に当接することで停止する。
【０１２０】
このように、壁２を形成する後壁部４１５は、左右の側壁部３の奥側まで移動した止水板２１０が、さらに移動して後壁部４から落下することを阻止するためのストップ部となっている。
【０１２１】
図１４及び図１７に示されているように、本実施形態では、左右の側壁部３の前面部３Ｃに立設されている左右の枠状部材２１６は、第１の実施形態の左右の枠状部材１６と同様に、非常時において、止水板２１０を出入口６に立設させることを案内するための止水板立設案内部となっているとともに、止水板２１０が出入口６に立設された状態を維持するための止水板立設状態維持手段にもなっている。
【０１２２】
左右の枠状部材２１６は、図１７に示すように、左右の側壁部３の延設方向に延びるベース部２１６Ｂと、このベース部２１６Ｂの幅方向の両端部の一方の端部から左右の側壁部３の厚さ方向に延びていて、左右の側壁部３の前面部３Ｃに固定される延出部２１６Ｃと、ベース部２１６Ｂの幅方向の両端部の他方の端部から左右の側壁部３の厚さ方向に延びていて、延出部２１６Ｃよりも延出量が大きい延出部２１６Ｄとからなり、枠状部材２１６の内部２１６Ａに挿入された止水板２１０の幅方向の両端部２１０Ｃ，２１０Ｄのうちの表面部２１０Ａ側の部分が、延出部２１６Ｄの内側面部に圧接することにより、止水板２１０が出入口６に立設された状態が維持される。
【０１２３】
なお、本実施形態における止水板２１０を出入口６に立設する作業も、前述した第１の実施形態と同様に、図１４に示すように、左右の側壁部３の奥側上部３Ｂから移動させている止水板２１０の半分以上が出入口６の位置を通過したら、好ましくは複数の作業者で止水板２１０を支持しながら、止水板２１０を左右の側壁部３の段部３Ｅから離脱させるとともに、この止水板２１０を矢印Ｃ方向に動かして底面部２１０Ｊが歩道１に着地した縦置き状態にする作業を行い、この後、止水板２１０を持ち上げて枠状部材２１６の内部２１６Ａに挿入する作業を行う。
【０１２４】
図１８〜図２１は、前述した第１の実施形態のまたさらなる別実施形態である第４の実施形態に係る止水装置を示す図であり、図１８は、本実施形態に係る止水装置の全体を示す図２と同様の図であり、図１９は、図１８のＳ１９−Ｓ１９線断面図であり、図２０は、図１８及び図１９で示されている本実施形態に係る止水板３１０の斜視図であって、この止水板３１０の厚さ方向の両面部のうちの、水密部材３１４が配置されている側の面である裏面部３１０Ｂを示す図である。また、図２１は、止水板３１０が立設された出入口６の平面図（上から見た図）である。
【０１２５】
図１８及び図１９に示されているように、本実施形態に係る水密部材３１４は、前述した各実施形態に係る水密部材１４と同様に、ベース部３１４Ａとこのベース部３１４Ａの幅方向の両端部から直交方向に延びる延出部３１４Ｂとからなっている。
【０１２６】
本実施形態では、前述した第２及び第３の実施形態と同様にローラ１１を有しない止水板３１０は、前述した第１〜第３の実施形態とは異なり、水密部材３１４が配置された裏面部３１０Ｂを上にした状態で左右の側壁部３の奥側上部３Ｂに横置き状態となって配置されるものとなっている。
【０１２７】
このため、本実施形態では、止水板３１０の幅方向の両端部３１０Ｃ，３１０Ｄのうちの表面部３１０Ａ側の部分（言い換えると、下面部（底面部））が、後述する左右の枠状部材３１５を介して左右の側壁部３の上面部３Ａを移動（摺動）するようになっている。
【０１２８】
図１８及び図１９に示すように、左右の側壁部３の上面部３Ａには、これらの側壁部３の長さ寸法と同じ又は略同じ長さ寸法を有し、後端部３１５Ｂを除いて垂直断面形状が開口部５側に開口したコ字状となっている枠状部材３１５が載置、固定されており、これら左右の枠状部材３１５の内部３１５Ｄに、止水板３１０の幅方向の両端部３１０Ｃ，３１０Ｄ及び水密部材３１４の左右の延出部３１４Ｂが挿入可能となっている。
【０１２９】
このため、本実施形態では、左右の枠状部材３１５が、左右の側壁部３の延設方向略全長に渡って設けられていて止水板３１０を移動自在に案内するための案内部を形成するものとなっている。
【０１３０】
左右の枠状部材３１５の開口している前端部（出入口６側の端部）から挿入された止水板３１０の出入口６とは反対側である奥側への移動は、この止水板３１０の長さ方向の両側面部３１０Ｉ，３１０Ｊのうちの一方の側面部である下側面部（言い換えると、下面部（底面部））３１０Ｊ（図２０参照）のうち、止水板３１０の幅方向の両端部の部分と、水密部材３１４の左右の延出部３１４Ｂの下側面部（言い換えると、下面部（底面部））３１４Ｃ（図２０参照）のうち、止水板３１０の幅方向の両端部の部分と、が左右の枠状部材３１５の図１８に示す後端部３１５Ｂに当接することで停止する。
【０１３１】
このように、左右の枠状部材３１５のうち、垂直断面形状がコ字状となっていない後端部３１５Ｂは、左右の側壁部３の奥側まで移動した止水板３１０が、さらに移動して後壁部４から落下することを阻止するためのストップ部となっている。
【０１３２】
なお、本実施形態では、把持部１３が設けられている箇所は、前述した第１〜第３の実施形態とは異なり、止水板３１０の長さ方向の両側面部３１０Ｉ，３１０Ｊのうちの一方の側面部である上側面部（言い換えると、上面部）３１０Ｉとなっている。
【０１３３】
図１８及び図２１に示されているように、本実施形態では、左右の側壁部３の前面部３Ｃに立設されている左右の枠状部材３１６は、第１の実施形態の左右の枠状部材１６と同様に、非常時において、止水板３１０を出入口６に立設させることを案内するための止水板立設案内部となっているとともに、止水板３１０が出入口６に立設された状態を維持するための止水板立設状態維持手段にもなっている。
【０１３４】
図１８及び図２１に示すように水平断面形状がＬ字状となっている左右の枠状部材３１６は側壁部３の延設方向に延びていてこの側壁部３の外側面部３Ｈ（図１８参照）に固定される第１延出部３１６Ｂと、この第１延出部３１６Ｂの幅方向の両端部のうちの出入口６側の端部から側壁部３の厚さ方向に延びる第２延出部３１６Ｃとからなり、図２１に示すように、枠状部材３１６と側壁部３の前面部３Ｃとで囲まれた空間３１６Ａに挿入された止水板３１０の幅方向の両端部３１０Ｃ，３１０Ｄのうちの表面部３１０Ａ側の部分が、第２延出部３１６Ｃの内側面部に圧接することにより、止水板３１０が出入口６に立設された状態が維持される。
【０１３５】
なお、本実施形態における止水板３１０を出入口６に立設する作業も、前述した第１の実施形態と同様に、図１８に示すように、左右の側壁部３の奥側上部３Ｂから移動させている止水板３１０の半分以上が出入口６の位置を通過したら、好ましくは複数の作業者で止水板３１０を支持しながら、止水板３１０を左右の枠状部材３１５から離脱させるとともに、この止水板３１０をこの止水板３１０の底面部３１０Ｊ（図２０参照）が歩道１に着地した縦置き状態にする作業を行い、この後、止水板３１０を持ち上げて、枠状部材３１６と側壁部３の前面部３Ｃとで囲まれた空間３１６Ａ（図２１参照）に挿入する作業を行う。
【０１３６】
図２２及び図２３は、前述した第１の実施形態の第１変形例である第５の実施形態に係る止水装置を示す図である。
【０１３７】
本実施形態では、前述した第１〜第４の実施形態のように、左右の側壁部３の前面部３Ｃには、非常時において、止水板を出入口６に立設させることを案内するための止水板立設案内部となっているとともに、止水板が出入口６に立設された状態を維持するための止水板立設状態維持手段にもなる枠状部材は立設されていない。
【０１３８】
出入口６とこの出入口６に立設される前の止水板１０の平面図である図２２に示されているように、本実施形態では、止水板１０に配置されている水密部材４１４は、前述した水密部材１４と同様に、ベース部４１４Ａと左右の延出部４１４Ｂとからなっているが、左右の延出部４１４Ｂの表面には、水平断面形状が略Ｔ字状となっている凸部（突部）４１４Ｃが、延出部４１４Ｂの長さ方向（言い換えると、上下方向）全長に渡って設けられている（形成されている）。一方、左右の側壁部３の前面部３Ｃには、水密部材４１４の左右の延出部４１４Ｂに設けられた上記凸部４１４Ｃが嵌合可能な凹部３Ｆが、左右の側壁部３の前面部３Ｃの高さ方向（言い換えると、上下方向）全長に渡って設けられている（形成されている）。
【０１３９】
本実施形態では、出入口６に止水板１０を立設する作業は、止水板１０を左右の側壁部３の上面部３Ａの高さまで持ち上げた後、水密部材４１４の左右の延出部４１４Ｂの凸部４１４Ｃの下端を、左右の側壁部３の前面部３Ｃの凹部３Ｆの上端に挿入、嵌合させながら、止水板１０を降ろす作業をこの止水板１０の底面部１０Ｊが歩道１に着地するまで行う。
【０１４０】
図２３は、止水板１０が立設された出入口６の平面図である。この図２３から分かるように、止水板１０は、この止水板１０に配置された水密部材４１４の左右の延出部４１４Ｂに設けられた凸部４１４Ｃが、左右の側壁部３の前面部３Ｃに設けられた凹部３Ｆに嵌合しているため、止水板１０が出入口６に立設された状態が維持される。
【０１４１】
このため、本実施形態では、止水板１０に配置された水密部材４１４の左右の延出部４１４Ｂに設けられた凸部４１４Ｃと、左右の側壁部３の前面部３Ｃに設けられた凹部３Ｆとで、非常時において、止水板１０が出入口６に立設された状態を維持するための止水板立設状態維持手段を構成するものとなっている。また、左右の側壁部３の前面部３Ｃに設けられた凹部３Ｆは、非常時において、止水板１０を出入口６に立設させることを案内するための止水板立設案内部となっている。
【０１４２】
このように、本実施形態では、前述した第１〜第４の実施形態のような左右の側壁部３の前面部３Ｃに立設される枠状部材が不要となるため、止水装置の部品点数を削減化できるとともに、止水装置の構造の簡単化を図ることができるようになる。
【０１４３】
なお、水密部材４１４の左右の延出部４１４Ｂの凸部４１４Ｃを軟質材料で形成した場合には、止水板１０を出入口６に立設させる作業は、上述したように止水板１０を持ち上げる必要はない。すなわち、止水板１０の出入口６への立設は、縦置きにした止水板１０を左右の側壁部３の前面部３Ｃまで平行移動により接近させ、水密部材４１４の左右の延出部４１４Ｂの凸部４１４Ｃを、左右の側壁部３の前面部３Ｃの凹部３Ｆに押し込み、嵌合させることにより可能となる。
【０１４４】
図２４は、前述した第１の実施形態の第２変形例である第６の実施形態に係る止水装置を示す図であり、止水板１０が立設された出入口６の平面図である。
【０１４５】
上述した第５の実施形態と同様に、本実施形態では、前述した第１〜第４の実施形態のように、左右の側壁部３の前面部３Ｃには、非常時において、止水板を出入口６に立設させることを案内するための止水板立設案内部となっているとともに、止水板が出入口６に立設された状態を維持するための止水板立設状態維持手段にもなる枠状部材は立設されていない。
【０１４６】
図２４に示すように、本実施形態では、止水板１０に配置された水密部材１４の左右の延出部１４Ｂの内部には、磁石５２０が配置されており、左右の側壁部３の前面部３Ｃは磁性体で形成されている。このため、水密部材１４の左右の延出部１４Ｂは、この内部の磁石５２０による磁力で左右の側壁部３の前面部３Ｃに吸着可能となり、これにより、止水板１０が出入口６に立設された状態を維持させることができるようになる。
【０１４７】
このため、本実施形態では、止水板１０に配置された水密部材４１４の左右の延出部４１４Ｂの内部に配置された磁石５２０と、左右の側壁部３の磁性体で形成された前面部３Ｃとで、非常時において、止水板１０が出入口６に立設された状態を維持するための止水板立設状態維持手段を構成するものとなっている。
【０１４８】
このため、止水板１０を出入口６に立設させる作業は、前述した第１〜第５の実施形態のように、止水板１０を持ち上げる必要はない。すなわち、止水板１０の出入口６への立設は、縦置きにした止水板１０を左右の側壁部３の前面部３Ｃまで平行移動により接近させ、水密部材４１４の左右の延出部４１４Ｂの内部の磁石５２０を左右の側壁部３の前面部３Ｃに吸着させることにより可能となる。
【０１４９】
このように、本実施形態においても、前述した第１〜第４の実施形態のような左右の側壁部３の前面部３Ｃに立設される枠状部材が不要となるため、止水装置の部品点数を削減化できるとともに、止水装置の構造の簡単化を図ることができるようになる。
【０１５０】
なお、水密部材１４の左右の延出部１４Ｂの内部に配置する磁石５２０の形状、構造は任意なものでよく、この磁石５２０は、例えば、水密部材１４の延出部１４Ｂの長さ方向への長さを有する棒状の磁石（言い換えると、長寸の磁石）であってもよく、小片の磁石（言い換えると、短寸の磁石）を、延出部１４Ｂの長さ方向に複数個配置したものであってもよい。
【０１５１】
なお、本実施形態において、磁石５２０は、水密部材１４のベース部１４Ａの内部にも配置するようにしてもよい。この場合には、止水板１０を出入口６に立設させたときに水密部材１４のベース部１４Ａと対面することになる階段７の最上段部７Ａの前面部７Ｂ（図９参照）を磁性体で形成する。
【０１５２】
図２５は、前述した第１の実施形態の第３変形例である第７の実施形態に係る止水装置を示す図であり、本実施形態に係る止水板６１０を出入口６に立設したときを示す図９と同様の図である。
【０１５３】
前述した第５及び第６の実施形態と同様に、本実施形態では、左右の側壁部３の前面部３Ｃには、非常時において、止水板を出入口６に立設させることを案内するための止水板立設案内部となっているとともに、止水板が出入口６に立設された状態を維持するための止水板立設状態維持手段にもなる枠状部材は立設されていない。
【０１５４】
図２５から分かるように、本実施形態では、止水板６１０は、出入口６に立設されたときには、出入口６に向かって傾斜した前傾姿勢となるとともに、この止水板６１０に配置された水密部材６１４のベース部６１４Ａが階段７の最上端部７Ａの前面部７Ｂに密着するとともに、水密部材６１４の左右の延出部６１４Ｂが左右の側壁部３の前面部３Ｃに密着するようになっている。
【０１５５】
これにより、止水板６１０が出入口６に立設された状態を維持するための止水板立設状態維持手段となる枠状部材が不要となっている。
【０１５６】
以下、止水板６１０及び水密部材６１４の形状、構造について説明する。図２５において２点鎖線で示されている止水板６１０及び水密部材６１４は、前傾姿勢させる前の状態を示すものであり、図２６は、この前傾姿勢前の止水板６１０及び水密部材６１４の下部の拡大図を実線で示したものである。
【０１５７】
図２６に示されているように、止水板６１０の底面部６１０Ｊは上向きに角度θ傾斜した傾斜部となっており、この止水板６１０に配置されている水密部材６１４のベース部６１４Ａの底面部（下面部）６１４Ｄも、上向きに角度θ傾斜した傾斜部となっている。このため、止水板６１０の底面部６１０Ｊと水密部材６１４のベース部６１４Ａの底面部６１４Ｄは、面一状態となっていて全体として上向きに角度θ傾斜した傾斜部となっている。
【０１５８】
また、図２６に示されているように、水密部材６１４のベース部６１４Ａの厚さ方向の両面部のうち、止水板６１０側とは反対側の面部である表面部６１４Ｃは、出入口６側へ角度θ傾斜した傾斜部となっており、水密部材６１４の左右の延出部６１４Ｂの厚さ方向の両面部のうち、止水板６１０側とは反対側の面部である表面部６１４Ｅも、出入口６側へ角度θ傾斜した傾斜部となっている。このため、水密部材６１４のベース部６１４Ａの表面部６１４Ｃと左右の延出部６１４Ｂの表面部６１４Ｅは、面一状態となっていて全体として出入口６側へ角度θ傾斜した傾斜部となっている。
【０１５９】
これにより、止水板６１０は、上述したように、出入口６に立設されたときには、出入口６（言い換えると、左右の側壁部３）に向かった前傾姿勢となるとともに、この止水板６１０に配置された水密部材６１４のベース部６１４Ａが階段７の最上端部７Ａの前面部７Ｂに密着するとともに、水密部材６１４の左右の延出部６１４Ｂが左右の側壁部３の前面部３Ｃに密着することになる。
【０１６０】
このように、本実施形態では、止水板６１０と水密部材６１４の形状、構造自体が、止水板６１０が出入口６に立設された状態を維持するための止水板立設状態維持手段となっている。
【０１６１】
このように、本実施形態においても、前述した第１〜第４の実施形態のような左右の側壁部３の前面部３Ｃに立設される枠状部材が不要となるため、止水装置の部品点数を削減化できるとともに、止水装置の構造の簡単化を図ることができるようになる。
【０１６２】
図２７及び図２８は、前述した第３の実施形態の変形例である第９の実施形態に係る止水装置を示す図である。
【０１６３】
本実施形態においても、前述した第１〜第４の実施形態のように、左右の側壁部３の前面部３Ｃには、非常時において、止水板を出入口６に立設させることを案内するための止水板立設案内部となっているとともに、止水板が出入口６に立設された状態を維持するための止水板立設状態維持手段にもなる枠状部材は立設されていない。
【０１６４】
出入口６とこの出入口６に立設される前の止水板２１０の平面図であって、左右の側壁部３のみが水平断面図で示されている図２７に示されているように、本実施形態では、左右の側壁部３のうちの出入口６側の端部の近傍の内側面部には、止水板２１０の幅方向の両端部２１０Ｃ，２１０Ｄ及びこの止水板２１０に配置されている水密部材１４の左右の延出部１４Ｂが挿入可能な上下方向への長さを有する窪み部３Ｇが、左右の側壁部３の上面部３Ａから階段７の最上段部７Ａの高さ位置まで形成されており、この窪み部３Ｇに止水板２１０がスライド自在に挿入可能となっている。
【０１６５】
図２８は、止水板２１０が立設された出入口６の平面図を示す図である。この図２８から分かるように、非常時には、左右の側壁部３の上面部３Ａの高さ位置まで持ち上げられた止水板２１０の幅方向の両端部２１０Ｃ，２１０Ｄ及びこの止水板２１０に配置されている水密部材１４の左右の延出部１４Ｂが、左右の側壁部３に形成された窪み部３Ｇに挿入される。これにより、止水板２１０は、左右の側壁部３の窪み部３Ｇの内側面で支持されて出入口６に立設された状態が維持される。
【０１６６】
このため、本実施形態では、左右の側壁部３の窪み部３Ｇは、非常時において、止水板２１０を出入口６に立設させることを案内するための止水板立設案内部となっているとともに、止水板２１０が出入口６に立設された状態を維持するための止水板立設状態維持手段にもなっている。
【０１６７】
このように、本実施形態においても、前述した第１〜第４の実施形態のような左右の側壁部３の前面部３Ｃに立設される枠状部材が不要となるため、止水装置の部品点数を削減化できるとともに、止水装置の構造の簡単化を図ることができるようになる。
【０１６８】
なお、以上説明した各実施形態では、止水板の立設作業及び収納作業は、作業者の人力による手動で行われるものであったが、これらの作業は、駆動装置の駆動力により自動で行われるものであってもよい。
【０１６９】
なお、以上説明した各実施形態では、階段７の最上段部７Ａの高さ位置は歩道１の高さ位置よりも高く、段差のあるものとなっていたが、以上説明した各実施形態に係る止水装置は、階段７の最上段部７Ａの高さ位置が歩道１の高さ位置と同じとなっていたり、最上段部７Ａから歩道１までスロープ状になっていたり等、段差がない場合にも適用できるものである。
【０１７０】
以上説明した各実施形態において、図示したものよりも矢印Ｙ方向（図２や図７参照）である長さ方向の寸法を小さくした止水板を２枚以上連なる様にして収納、設置してもよい。すなわち、止水板を上下に分割できるタイプのものとし、収納、設置するときは、止水板を２枚以上に分割するとともに、これら２枚以上の止水板をこの止水板の長さ方向に並べて収納、設置するようにしてもよい。
【０１７１】
また、以上説明した各実施形態の止水板は、矢印Ｙ方向の寸法を側壁の高さより小さくしたもの（例えば、膝下くらいの止水高さ（３０ｃｍ程度）となるもの）であってもよい。この場合には、上記止水板を立設後、別の保管場所から持ってきた図示しない別の止水板（上記止水板と同様の厚さ、横幅寸法（矢印Ｘ方向（図２や図７参照）の寸法）を有するものが好ましい）を積み上げる様に増設してもよい。すなわち、止水板を上下に分割できるタイプのものとし、急いで設置する分の止水板１〜２枚だけ左右の側壁部上の後壁部側に保管するようにしてもよい。
【０１７２】
以上説明した各実施形態において、左右の側壁部の奥側上部に収納した止水板は、風や振動、地震、悪戯、ぶつかりなどで移動することを防止するためのロック手段（言い換えると、止水板移動防止手段）を備えるようにしてもよい。このロック手段は、例えば、左右の側壁部や後壁部に金具やワイヤー、ダイヤル錠等で簡易的に止着可能とするもの、案内部にローラ車止めやラッチの様なものを必要に応じて解除できるように設けたものなどである。
【０１７３】
なお、以上説明した各実施形態の水密部材は、求められる止水性能に応じて隙間を生じる部分に追加したり、逆に省略するようにしてもよい。
【産業上の利用可能性】
【０１７４】
本発明は、例えば、地下鉄への出入口、地下駐車場への出入口、ビル等の建物の地階への出入口等に設置される止水装置に利用することができる。
【符号の説明】
【０１７５】
１  地上である歩道
２  壁
３  左右の側壁部
３Ｂ  左右の側壁部の奥側上部
３Ｃ  止水板立設状態維持手段を構成する磁性体で形成された左右の側壁部の前面部
３Ｅ  止水板を移動自在に案内するための案内部を形成する左右の側壁部の上面部の段部
３Ｆ  止水板立設案内部を形成する左右の側壁部の前面部に形成された凹部
３Ｇ  止水板立設案内部を形成し、止水板立設状態維持手段にもなっている左右の側壁部の内側面部に形成された窪み部
５  開口部
６  出入口
１０，１１０，２１０，３１０，６１０  止水板
１０Ｂ，１１０Ｂ，２１０Ｂ，６１０Ｂ  左右の側壁部の奥側上部に載置される止水板の厚さ方向の両面部のうちの一方の面部である裏面部
１０Ｃ，１０Ｄ  止水板の幅方向の端部
１１  転動部材であるローラ
１３  把持部
１４，３１４，４１４，６１４  水密部材
１５，１１５，３１５  止水板を移動自在に案内するための案内部を形成する枠状部材
１６，１１６，２１６，３１６  止水板立設案内部を形成し、止水板立設状態維持手段にもなっている枠状部材
３１０Ａ  左右の側壁部の奥側上部に載置される止水板の厚さ方向の両面部のうちの一方の面部である表面部
４１４Ｃ  止水板立設状態維持手段を構成する水密部材の左右の延出部に設けられた凸部
５２０  止水板立設状態維持手段を構成する水密部材の左右の延出部に配置された磁石
【図１】
2015059379.tif 000003
【図２】
2015059379.tif 000004
【図３】
2015059379.tif 000005
【図４】
2015059379.tif 000006
【図５】
2015059379.tif 000007
【図６】
2015059379.tif 000008
【図７】
2015059379.tif 000009
【図８】
2015059379.tif 000010
【図９】
2015059379.tif 000011
【図１０】
2015059379.tif 000012
【図１１】
2015059379.tif 000013
【図１２】
2015059379.tif 000014
【図１３】
2015059379.tif 000015
【図１４】
2015059379.tif 000016
【図１５】
2015059379.tif 000017
【図１６】
2015059379.tif 000018
【図１７】
2015059379.tif 000019
【図１８】
2015059379.tif 000020
【図１９】
2015059379.tif 000021
【図２０】
2015059379.tif 000022
【図２１】
2015059379.tif 000023
【図２２】
2015059379.tif 000024
【図２３】
2015059379.tif 000025
【図２４】
2015059379.tif 000026
【図２５】
2015059379.tif 000027
【図２６】
2015059379.tif 000028
【図２７】
2015059379.tif 000029
【図２８】
2015059379.tif 000030